(57)【特許請求の範囲】
【請求項１】
情報転送システムにおける通信路符号化のための方法において、
符号化される情報の流れ（１０）は、異なった品質クラスのシンボルを有し、
上記情報の流れ（１０）は、符号化のため多数の符号化枝と、パンクチャリング多重化ユニット（１９）とに、並列して供給され、
上記情報の流れ（１０）の異なった品質クラスのシンボルは、デマルチプレクサ（１１−１３）によって、各符号化枝に与えられ、
少なくとも１つの上記デマルチプレクサ（１１−１３）には、シンボルに対して誤り保護を生成するためのインターリーバ（１４、１５）が続き、
各符号化枝において、できる限りインターリーブされたシンボルが符号化されるとともに、符号化枝から符号化されたシンボルが並列にパンクチャリング多重化ユニット（１９）に供給され、
前もって決定可能な符号化率が、上記パンクチャリング多重化ユニット（１９）にて設定される方法。
【請求項２】
請求項１に記載の方法において、１個または複数の上記インターリーバ（１４、１５）は、ターボ・コード・インターリーバであることを特徴とする方法。
【請求項３】
請求項１または２に記載の方法において、各符号化枝において、できる限りインターリーブされたシンボルは、フラクショナル符号器（１６−１８）によって符号化されるとともに、上記フラクショナル符号器（１６−１８）は、循環組織畳込み符号器、非組織畳込み符号器、またはブロック符号器であることを特徴とする方法。
【請求項４】
請求項３に記載の方法において、上記フラクショナル符号器（１６−１８）は共通の符号化率を有することを特徴とする方法。
【請求項５】
請求項３に記載の方法において、上記フラクショナル符号器（１６−１８）は異なる符号化率を有することを特徴とする方法。
【請求項６】
情報転送システムにおける通信路符号化のための装置において、
符号化される情報の流れ（１０）は、異なった品質クラスのシンボルを有し、
上記情報の流れ（１０）は、符号化のため多数の符号化枝と、パンクチャリング多重化ユニット（１９）とに、並列して供給され、
各符号化枝は、上記情報の流れ（１０）の異なった品質クラスのシンボルが与えられるところを介して、デマルチプレクサ（１１−１３）を有し、
少なくとも１つの上記デマルチプレクサ（１１−１３）には、フィルタされたシンボルの誤り保護を生成するためのインターリーバ（１４、１５）が続き、
各符号化枝は、フィルタされるとともにできる限りインターリーブされたシンボルを符号化するために各フラクショナル符号器（１６−１８）を有し、
上記各フラクショナル符号器（１６−１８）によって符号化されたシンボルは、並列にパンクチャリング多重化ユニット（１９）に供給される装置。
【発明の詳細な説明】
本発明は、情報転送システムにおける通信路符号化のための方法、およびその方法を実行するための装置に関するものである。
【０００１】
情報転送システム、特に移動無線システムにおいて、通信路符号化を提供するためには、同等の伝送品質を達成して、異なる品質区分に属し、転送される情報の流れ（Ｉｎｆｏｒｍａｔｉｏｎｓｓｔｒｏｍ ）中のシンボルを保護できるように、異なる（ｕｎｇｌｅｉｃｈｅｒ）誤り保護（Ｆｅｈｌｅｒｓｃｈｕｔｚ）が必要である。高伝送品質を達成するために良い誤り保護を必要とするフルスロット音声サービスが、例えばＧＳＭ（Ｇｌｏｂａｌ Ｓｙｓｔｅｍ ｆｏｒ Ｍｏｂｉｌｅ Ｃｏｍｍｕｎｉｃａｔｉｏｎｓ ）規格などの第２世代の移動無線システムの例として、ここで挙げられる。
【０００２】
ＧＳＭ規格にかかる移動無線システムにおいては、異なる誤り保護は、異なった符号とそれらの連鎖を用いることによって達成されている。しかしながら、多数の対応する復号器が、復号工程にて異なる符号を復号するために必要である。対応する回路構成において、これは特に非常な実行経費を必要とする。
【０００３】
欧州特許出願ＥＰ  ０７４９２１１  Ａ２において、異なった重みのシンボルを有する情報の流れが、他と並列に配置された多数の符号化枝（Ｋｏｄｉｅｒｚｗｅｉｇｅｎ ）に供給される情報転送システムが示されている。情報シンボルは、符号化枝の入力部に設けられたフィルタによって分割されている。符号化枝の出力部にて、共通のマルチプレクサ（多重化器）が、符号化された部分的なデータ流れを組み立てるように配置されている。
【０００４】
欧州特許出願ＥＰ  ０８２０１５９  Ａ２は、また、マルチプレクサに供給される出力部と並列に配置された多数の符号化枝を示している。デマルチプレクサ（逆多重化器）は、符号化枝に情報シンボルを分配するために設けることができる。さらに、これには、マルチプレクサと並列に接続されたパンクチャリングユニット（Ｐｕｎｋｔｉｅｒｅｉｎｈｅｉｔ ）を使用することが示されており、望ましい符号化率を設定することが可能である。
【０００５】
国際特許出願ＷＯ  ００／７４２９５  Ａ１において、多数の符号化枝と並列な配置の入力部にデマルチプレクサが設けられていない、フレキシブルな通信路符号化のための方法と装置とが記載されている。
【０００６】
本発明の目的は、情報転送システムにおける通信路符号化のための方法と、シンボルを復号するための経費が少ない、情報通信路、特に移動無線通信路を介して、転送されるシンボルの通信路符号化において異なる誤り保護を可能にする方法を実施する装置を明確にすることである。
【０００７】
この目的は、請求項１の特徴部を有する方法、および請求項６の特徴部を有する装置によって達成される。本発明の好ましい実施の形態は従属請求項の主題である。
【０００８】
本発明は、情報転送システムにおける通信路符号化のための方法であり、
符号化される情報の流れは、異なった品質クラスのシンボルを有し、
情報の流れは、符号化のため多数の符号化枝と、パンクチャリング多重化ユニットとに、並列して供給され、
情報の流れの異なった品質クラスのシンボルは、デマルチプレクサによって、各符号化枝に与えられ、
シンボルに対して誤り保護を生成するため（ｚｕｒ Ｅｒｚｅｕｇｕｎｇ ｅｉｎｅｓ Ｆｅｈｌｅｒｓｃｈｕｔｚｅｓ ｄｅｒ Ｓｙｍｂｏｌｅ）に、インターリーバが少なくとも１つのデマルチプレクサに続き、
各符号化枝において、できる限りインターリーブされたシンボルが、符号化されるとともに、符号化枝から符号化されたシンボルが並列にパンクチャリング多重化ユニット（Ｐｕｎｋｔｉｅｒｅｒ− ｕｎｄ Ｍｕｌｔｉｐｌｅｘｅｒｅｉｎｈｅｉｔ）に供給され、
符号化率が、パンクチャリング多重化ユニットにて設定される。
【０００９】
本発明の主要なポイントは、達成されるべき伝送品質に対応する異なった品質クラスに符号化される情報の流れのシンボルの分割であり、シンボルの対応する異なった符号化、すなわち、異なった符号化率（符号化率とは、情報データと情報データと試験または訂正データとの率と規定する）をともなった符号化である。高伝送品質に対応する高品質クラスをシンボルが有する場合には、特に高い誤り保護、すなわち、特に低い符号化率にて、このために設けられる符号化枝において、符号化が起こる。本発明に係る方法において、パンクチャリング多重化ユニットは並列に情報の流れが提供され、それによって、情報の流れの系統学（Ｓｙｓｔｅｍａｔｉｋ）が分かり、その後異なった符号化率を有する個々の符号化枝から、異なって符号化され誤り保護されたシンボルを処理する。これは、パンクチャリングによって符号化されるとともに誤り保護された情報の流れの転送と全体の符号化率とに、異なった符号化率が適用されるようにするためである。特に、望ましい全体の符号化率は、パンクチャリング多重化ユニットを介して、適切なパンクチャリングによって設定可能である。
【００１０】
個々の符号化枝におけるデマルチプレクサは、異なった品質クラスのシンボルを、対応する符号化枝に供給するために用いられる。異なる誤り保護を生成するために、より高品質クラス、すなわち、より高い重みのシンボルは、符号化枝における３つの符号器によって、より高い符号化率にて符号化されることが可能になる。一方、より低い品質クラス、すなわち、より低い重みのシンボルは、その後、例えば、２つの符号器によって、より高い符号化率にて符号化されることが可能になる。パンクチャリング多重化ユニットにおいて、順番に、異なって符号化されたシンボルは、その後、例えば、順に１／３（より高い重み）または１／２（より低い重み）の共通な全体の符号化率にて符号化されることが可能になる。情報の流れに含まれる異なった品質クラスのシンボルが、異なって対応して符号化されたり、すなわち、異なった符号や符号化率を有していたとしても、パンクチャリング多重化ユニットにおける全体の符号化率を設定することによって、共通な符号化率は、その後、全情報の流れのために設定される。有利なことに、異なった品質クラスのシンボルを伴う情報の流れを、異なった別個の符合器間をあちこちスイッチングすることなく処理することができる。情報の流れは、いわば、異なったまたは同等の等しい多数の符号化器枝に並列に流れ込み、再び、パンクチャリング多重化ユニットにおける誤り保護された情報の流れを形成するために集められる。
【００１１】
特に、１個または複数のインターリーバは、ターボ・コード・インターリーバ（Ｔｕｒｂｏ−Ｋｏｄｅ−Ｖｅｒｓｃｈａｃｈｔｅｌｅｒ ）である。結果として、特に、千ビット以上の大きなブロックの場合に、特に良い誤り保護が達成される。
【００１２】
好ましくは、各符号化枝において、できる限りインターリーブされたシンボルは、フラクショナル符号器（Ｔｅｉｌｋｏｄｉｅｒｅｒｓ ）によって符号化される。フラクショナル符号化器は、循環組織畳込み符号器（ｒｅｋｕｒｓｉｖｅｒ ｓｙｓｔｅｍａｔｉｓｃｈｅｒ Ｆａｌｔｕｎｇｓｋｏｄｉｅｒｅｒ）、非組織畳込み符号器（ｎｉｃｈｔｓｙｓｔｅｍａｔｉｓｃｈｅｒ Ｆａｌｔｕｎｇｓｋｏｄｉｅｒｅｒ）または、ブロック符号器（Ｂｌｏｃｋ−Ｋｏｄｉｅｒｅｒ）である。
【００１３】
フラクショナル符号器は、好ましくは、共通の符号化率を有する。代わりに、フラクショナル符号器は異なった符号化率を有してもよい。
【００１４】
さらに、本発明は、情報転送システムにおいて、通信路符号化のための装置に関し、
符号化される情報の流れは、異なった品質クラスのシンボルを有し、
情報の流れは、符号化のため多数の符号化枝と、パンクチャリング多重化ユニットとに、並列して供給され、
各符号化枝は、情報の流れの異なった品質クラスのシンボルが与えられるところを介して、マルチプレクサを有し、
少なくとも１つのマルチプレクサには、フィルタされたシンボルの誤り保護を生成するためのインターリーバが続き、
各符号化枝は、フィルタされるとともにできる限りインターリーブされたシンボルを符号化するためにフラクショナル符号器を有し、
フラクショナル符号器によって符号化されたシンボルは、並列にパンクチャリング多重化ユニットに供給される。
【００１５】
本発明の更なる利点は、図面を伴う実施例の充分な記載により得られ、図面は本発明に係る方法を実行するための符号器の第１の実施例を示す。
【００１６】
転送され符号化される情報の流れ１０は、Ｎビットを有するデータブロックを有する。これらＮビットは、Ｎ１ビットとＮ２ビットとからなる（Ｎ＝Ｎ１＋Ｎ２）。Ｎ２ビットは、Ｎ１ビットより高い第１の品質クラスに属する。例えば、Ｎ２ビットは、重要なデータ、例えば、セキュリティに関するデータ（ＰＩＮ、パスワード）のような転送に用いることができ、Ｎ１ビットは、高い誤り保護を必要としない、例えば、セキュリティに関するデータの場合ではないような音声データに対応することができる。
【００１７】
第１の高品質クラスのビットは、第２のより低い品質クラスのビットより少なく転送されるので、Ｎ２＜Ｎ１は真が保たれる。
【００１８】
転送され符号化される情報の流れ１０は、例えば、情報の流れによって、異なる品質クラスのシンボルの数（この場合はビット）とそれらの位置を時間と周波数とにおいて決定するパンクチャリング多重化ユニット１９に供給される。パンクチャリング多重化ユニット１９は、異なる符号化枝から処理するために情報の流れ１０の構成を必要とする。
【００１９】
情報の流れは、並列に、第１、第２、第３のデマルチプレクサ１１、１２、１３に、それぞれ供給される。デマルチプレクサは、情報の流れの異なる品質クラスのシンボルを異なる符号化枝に供給する。示された実施例において、３つの符号化枝がシンボルを符号化するために設けられている。
【００２０】
第１のデマルチプレクサ１１は、最も低い品質クラスのシンボルまたはビットを、それぞれ符号化する第１のフラクショナル符号器１６に続いている。第１のフラクショナル符号器１６の出力信号は、パンクチャリング多重化ユニット１９に供給される。
【００２１】
第２と第３のデマルチプレクサ１２、１３は、それぞれ各場合において、第１と第２のターボ・コード・インターリーバ１４、１５に、それぞれ続いている。ターボ・コード・インターリーバ１４、１５は、供給されたシンボルまたはビットの再配列と一時的な拡散とを生み出す。ターボ・コード・インターリーバは、シンボルを符号化するために用いられるターボ・コードの自由距離に影響を及ぼす。
【００２２】
第１と第２のターボ・コード・インターリーバ１４、１５は、それぞれ各場合において、第２のフラクショナル符号器１７と第３のフラクショナル符号器１８に、それぞれ続いている。第２と第３のフラクショナル符号器１７、１８は、各場合において、循環組織畳込み符号器（ＲＳＣ符号器）として構成されている。ＲＳＣ符号器は、ターボ・コードに対して、特に、ターボ・コード・インターリーバとの共用において適している。第２のフラクショナル符号器１７または第３のフラクショナル符号器１８は、非組織畳込み符号器（ＮＳＣ符号器）またはブロック符号器として構成することも可能である。
【００２３】
第２と第３のフラクショナル符号器１７、１８の出力信号は、それぞれ、パンクチャリング多重化ユニット１９に供給される。パンクチャリング多重化ユニット１９は、全体の符号化率を設定し、異なる誤り保護を有し、復号が容易な、符号化され誤り保護された信号の流れ２０を生成する。
【００２４】
第２の実施例（図示せず）において、本発明に係る方法を実行する装置は、１つのターボ・コード・インタリーバと２つの等しいフラクショナル符号器を有している。ターボ・コード・インタリーバは、サイズＮ＝Ｎ１＋Ｎ２を有する。異なる誤り保護は、このとき、Ｎ１ビットとＮ２ビットとの異なったパンクチャリングによって達成される。
【００２５】
第３の実施例（図示せず）において、本発明に係る方法を実行する装置は、異なる符号化率Ｒ１＜Ｒ２にて、２つの異なるフラクショナル符号器を有している。さらに、２つのデマルチプレクサと１つのターボ・コード・インタリーバが提供される。より低い符号化率Ｒ１を伴う第１のフラクショナル符号器は、より高い品質クラスのＮ２ビットを符号化し、より高い符号化率Ｒ２を伴う第２のフラクショナル符号器は、より低い品質クラスのＮ１ビットを符号化する。結果として、異なる符号化率と異なる誤り保護とが達成される。
【図面の簡単な説明】
【図１】本発明に係る方法を実行するための符号器の第１の実施例を示す。
0003549516.tif 000002